(57)【特許請求の範囲】
【請求項１】
平面状の通路面を有し且つ床面上の所定高さ位置に設置される踊場装置であって、
上下方向に軸線をもつ枢支軸によって枢支された第１基台と第２基台を備えるとともに、
上記第１基台は、繊維強化プラスチック製板材でなる表面材と裏面材を上下方向に離間配置し且つこれら表面材と裏面材の間に複数の型材と発砲樹脂体を介在させて一体化するとともに、その一端をスロープが掛止される第１のスロープ掛止部とし、
上記第２基台は、アルミ板で構成されるとともに、その一端の裏面側に型材を取り付けてここをスロープが掛止される第２のスロープ掛止部とし、
上記第１基台と第２基台を上記枢支軸周りに相対回動させることで上記第１のスロープ掛止部と第２のスロープ掛止部の平面上における相対位置を変更可能としたことを特徴とする踊場装置。
【請求項２】
請求項１において、
上記第１基台はその一端縁部を直線状に延びる直縁部としこれを上記第１のスロープ掛止部とするとともに他端縁部を円弧状に形成し、
上記第２基台はその一端縁部を直線状に延びる直縁部としこれを上記第２のスロープ掛止部とするとともに他端縁部を円弧状に形成し、
上記第１基台の円弧部の略曲率中心位置と上記第２基台の円弧部の略曲率中心位置を重ね合わせてここに上記枢支軸を配置したことを特徴とする踊場装置。
【請求項３】
請求項２において、
上記第１基台は円弧状の外周縁をもつ略扇形の平面形状を有し且つ該外周縁の一端側に連続する一の側縁部を上記第１のスロープ掛止部とし、
上記第２基台は円弧状の外周縁をもつ略扇形の平面形状を有し且つ該外周縁の他端側に連続する一の側縁部を上記第２のスロープ掛止部とし、
上記第１基台側の第１のスロープ掛止部と上記第２基台側の第２のスロープ掛止部が円弧方向の一端側と他端側に位置して対向するように配置し、且つ上記第１基台の円弧部の略曲率中心位置と上記第２基台の円弧部の略曲率中心位置を重ね合わせてここに上記枢支軸を配置したことを特徴とする踊場装置。
【請求項４】
請求項２において、
上記第１基台と上記第２基台の下面側には複数の支持脚が備えられるとともに、
該支持脚は所定長さの脚ピースを順次軸方向へ着脱可能に接続する構成であることを特徴とする踊場装置。
【請求項５】
請求項１，２，３又は４において、
上記通路面の側縁に手摺ユニットが付設されることを特徴とする踊場装置。
【発明の詳細な説明】
【技術分野】
【０００１】
本願発明は、段差部に架設されるスロープに付設される踊場装置に関するものである。
【背景技術】
【０００２】
近年、老人介護における利便性向上等の観点から、携帯用のスロープ装置が種々提案され（例えば、特許文献１、２参照）、介護福祉の現場において広く使用されるに至っている。これらのスロープ装置は、所定長さの板体で構成され、これを段差部の上位部との間に架け渡して使用されるものであり、主として段差部における車椅子の通行路の確保を目的としている。
【先行技術文献】
【特許文献】
【０００３】
【特許文献１】特開２０１２−１４３２６０号公報
【特許文献２】特開２００２−０９７７６８号公報
【発明の概要】
【発明が解決しようとする課題】
【０００４】
ところで、携帯用のスロープ装置は、これを使用する必要が生じた場合に、段差部の高位部と低位部の間（例えば、住居の玄関内における上り框部と玄関土間の間）に架け渡されて使用に供される。
【０００５】
この場合において、玄関土間が広く、上り框の前方側にスロープの架設スペースが十分に確保できるような場合には、上り框に対してこれに直交する方向からスロープを架設することができるので問題はない。
【０００６】
しかし、玄関土間が狭く、上り框の前方側にスロープの架設スペースを十分に確保できないような場合には、上り框に対してこれに直交する方向からスロープを架設することはできず、したがってこの場合には、スロープを上り框に沿って配置せざるを得ないことになる。
【０００７】
ところが、このようにスロープを上り框に沿って配置する場合には、直接上り框にスロープの一端を掛止することができないので、例えば、上り框の手前側に踊場を設け、この踊場に上り框に沿って配置されたスロープの一端を掛止し、玄関土間側から上記スロープ及び踊場を介して上り框側へ移動できるようにしなければならない。
【０００８】
しかしながら、このようなスロープ用の踊場については、現時点において有効な提案はなされておらず、係る踊場装置の開発が要請されるところである。
【０００９】
そこで、本願発明は、スロープに適用するに好適な踊場装置を提供することを目的としてなされたものである。
【課題を解決するための手段】
【００１０】
本願発明ではかかる課題を解決するための具体的手段として次のような構成を採用している。
【００１１】
本願の第１の発明では、平面状の通路面を有し且つ床面上の所定高さ位置に設置される踊場装置において、上下方向に軸線をもつ枢支軸によって枢支された第１基台と第２基台を備えるとともに、上記第１基台は、繊維強化プラスチック製板材でなる表面材と裏面材を上下方向に離間配置し且つこれら表面材と裏面材の間に複数の型材と発砲樹脂体を介在させて一体化するとともに、その一端をスロープが掛止される第１のスロープ掛止部とし、上記第２基台は、アルミ板で構成されるとともに、その一端の裏面側に型材を取り付けてここをスロープが掛止される第２のスロープ掛止部とし、上記第１基台と第２基台を上記枢支軸周りに相対回動させることで上記第１のスロープ掛止部と第２のスロープ掛止部の平面上における相対位置を変更可能としたことを特徴としている。
【００１２】
本願の第２の発明では、上記第１の発明において、上記第１基台はその一端縁部を直線状に延びる直縁部としこれを上記第１のスロープ掛止部とするとともに他端縁部を円弧状に形成し、上記第２基台はその一端縁部を直線状に延びる直縁部としこれを上記第２のスロープ掛止部とするとともに他端縁部を円弧状に形成し、上記第１基台の円弧部の略曲率中心位置と上記第２基台の円弧部の略曲率中心位置を重ね合わせてここに上記枢支軸を配置したことを特徴としている。
【００１３】
本願の第３の発明では、上記第２の発明において、上記第１基台は円弧状の外周縁をもつ略扇形の平面形状を有し且つ該外周縁の一端側に連続する一の側縁部を上記第１のスロープ掛止部とし、上記第２基台は円弧状の外周縁をもつ略扇形の平面形状を有し且つ該外周縁の他端側に連続する一の側縁部を上記第２のスロープ掛止部とし、上記第１基台側の第１のスロープ掛止部と上記第２基台側の第２のスロープ掛止部が円弧方向の一端側と他端側に位置して対向するように配置し、且つ上記第１基台の円弧部の略曲率中心位置と上記第２基台の円弧部の略曲率中心位置を重ね合わせてここに上記枢支軸を配置したことを特徴としている。
【００１４】
本願の第４の発明では、上記第２の発明において、上記第１基台と上記第２基台の下面側に複数の支持脚を備えるとともに、該支持脚を、所定長さの脚ピースを順次軸方向へ着脱可能に接続する構成としたことを特徴としている。
【００１５】
本願の第５の発明では、上記第１、第２、第３または第４の発明において、上記通路面の側縁に手摺ユニットを付設したことを特徴としている。
【発明の効果】
【００１６】
（ａ）本願の第１の発明
本願の第１の発明に係る踊場装置では、通路面の周縁部に少なくとも一のスロープの一端が掛止される第１のスロープ掛止部と他のスロープの一端が掛止される第２のスロープ掛止部を備えるとともに、該第１のスロープ掛止部と第２のスロープ掛止部の平面上における相対位置を変更可能に構成しているので、例えば、上記第１のスロープ掛止部に架けられた一のスロープから踊場装置への進入方向と、該踊場装置から上記第２のスロープ掛止部に架けられた他のスロープへの退出方向の相対位置関係を多様に設定することができる。
【００１７】
したがって、段差部の低位部に踊場装置を設置した場合において、
（１）例えば、踊場装置の手前側に十分なスペースが確保できる場合には、踊場装置の第１のスロープ掛止部と第２のスロープ掛止部を略直線上に設定し、該第１のスロープ掛止部に架設される進入側の一のスロープと第２のスロープ掛止部に架設される退出側の他のスロープを直線上に設置することで自然な通行が実現され、
（２）また、踊場装置の手前側に十分なスペースが確保できないような場合には、例えば、踊場装置の第１のスロープ掛止部と第２のスロープ掛止部を略直交方向に設定し、該第１のスロープ掛止部に架設される進入側の一のスロープを段差部に沿って設置することで、該踊場装置の小スペースでの設置が可能となる、
等の効果が奏せられる。
【００１８】
また、上記第１のスロープ掛止部が備えられた平板状の第１基台と上記第２のスロープ掛止部が備えられた平板状の第２基台を備えるとともに、該第１基台と第２基台を上下方向に軸線をもつ枢支軸によって枢支し、該第１の基台と第２の基台の上記枢支軸回りにおける相対位置を変更設定し得るように構成したので、上記第１のスロープ掛止部と第２のスロープ掛止部の相対位置の変更機能をより簡易且つ安価に得ることができ、延いては踊場装置の低コスト化に寄与し得る。
【００１９】
さらに、第１基台と第２基台の組み合わせという簡単な構成であることから、耐久性とか作動上の信頼性が高く、踊場装置の商品価値の向上が期待できる。
【００２０】
（ｂ）本願の第２の発明
本願の第２の発明では、上記（ａ）に記載の効果に加えて以下のような特有の効果が得られる。即ち、この発明では、上記第１基台はその一端縁部を直線状に延びる直縁部としこれを上記第１のスロープ掛止部とするとともに他端縁部を円弧状に形成し、上記第２基台はその一端縁部を直線状に延びる直縁部としこれを上記第２のスロープ掛止部とするとともに他端縁部を円弧状に形成し、上記第１基台の円弧部の略曲率中心位置と上記第２基台の円弧部の略曲率中心位置を重ね合わせてここに上記枢支軸を配置したので、上記第１基台と上記第２基台を上記枢支軸回りに相対移動させることで、例えば、上記第１基台の第１のスロープ掛止部と上記第２基台の第２のスロープ掛止部を、上記枢支軸を挟んでその両側に位置させて通路面の通路方向を直線状とする態様と、上記第１基台の第１のスロープ掛止部と上記第２基台の第２のスロープ掛止部を、上記枢支軸を中心として略直交方向に位置させて通路面の通路方向を直交状態に屈曲させる態様とを容易に得ることができ、上記踊場装置における通路形態の変更操作が容易となる。
【００２１】
（ｃ）本願の第３の発明
本願の第３の発明では、上記（ｂ）に記載の効果に加えて以下のような特有の効果が得られる。即ち、この発明では、上記第１基台は円弧状の外周縁をもつ略扇形の平面形状を有し且つ該外周縁の一端側に連続する一の側縁部を上記第１のスロープ掛止部とし、上記第２基台は円弧状の外周縁をもつ略扇形の平面形状を有し且つ該外周縁の他端側に連続する一の側縁部を上記第２のスロープ掛止部とし、上記第１基台側の第１のスロープ掛止部と上記第２基台側の第２のスロープ掛止部が円弧方向の一端側と他端側に位置して対向するように配置し、且つ上記第１基台の円弧部の略曲率中心位置と上記第２基台の円弧部の略曲率中心位置を重ね合わせてここに上記枢支軸を配置したので、例えば、上記枢支軸回りに上記第１基台と第２基台を相対移動させることで、該第１基台の第１のスロープ掛止部から上記第２基台の第２のスロープ掛止部に向かう通路面の屈曲形態を任意に設定することができ、上記踊場装置における通路形態の変更操作が容易となる。
【００２２】
（ｄ）本願の第４の発明
本願の第４の発明では、上記（ｂ）に記載の効果に加えて以下のような特有の効果が得られる。即ち、この発明では、上記第１基台と上記第２基台の下面側に複数の支持脚を備えるとともに、該支持脚を、所定長さの脚ピースを順次軸方向へ着脱可能に接続する構成としたので、踊場装置の設置高さの調整が容易であるとともに、例えば、所定長さの棒状の支持脚を複数種類用意しこれを踊場装置の設置高さに応じて選択使用する場合に比して、経済的である。
【００２３】
（ｅ）本願の第５の発明
本願の第５の発明では、上記（ａ）、（ｂ）、（ｃ）または（ｄ）に記載の効果に加えて以下のような特有の効果が得られる。即ち、この発明では、上記通路面の側縁に手摺ユニットを付設したので、上記踊場装置を使用する場合における安全性が確保され、延いては踊場装置の商品価値の向上が期待できる。
【図面の簡単な説明】
【００２４】
【図１】本願発明の第１の実施形態に係る踊場装置の平面図である。
【図２】図１のＡ−Ａ矢視図である。
【図３】上記踊場装置の概念を示す分解斜視図である。
【図４】上記踊場装置の一の構成要素である固定基台の平面図である。
【図５】図４のＢ−Ｂ拡大断面図である。
【図６】上記踊場装置の他の構成要素である可動台の平面図である。
【図７】図６のＣ−Ｃ拡大断面図である。
【図８】上記踊場装置に備えられる支持脚の構造説明図である。
【図９】上記踊場装置に付設される第１の手摺ユニットの要部構造説明図である。
【図１０】第１の形態における上記踊場装置に上記第１の手摺ユニットを取り付けた状態の平面図である。
【図１１】図１０のＤ−Ｄ矢視図である。
【図１２】第２の形態における上記踊場装置に上記第１の手摺ユニットを取り付けた状態の平面図である。
【図１３】上記踊場装置に付設される第２の手摺ユニットの要部構造説明図である。
【図１４】第１の形態における上記踊場装置に上記第２の手摺ユニットを取り付けた状態の平面図である。
【図１５】図１４のＤ−Ｄ矢視図である。
【図１６】第２の形態における上記踊場装置に上記第２の手摺ユニットを取り付けた状態の平面図である。
【図１７】本願発明の第２の実施形態に係る踊場装置の第１の形態における平面図である。
【図１８】上記踊場装置の第２の形態における平面図である。
【図１９】上記踊場装置の概念を示す分解斜視図である。
【図２０】上記踊場装置の一の構成要素である固定基台の平面図である。
【図２１】図２０のＥ部の拡大図である。
【図２２】上記踊場装置の他の構成要素である可動台の平面図である。
【図２３】図１８のＦ部の拡大図である。
【図２４】第１の形態における上記踊場装置に第１の手摺ユニットを取り付けた状態の平面図である。
【図２５】第２の形態における上記踊場装置に上記第１の手摺ユニットを取り付けた状態の平面図である。
【図２６】第１の形態における上記踊場装置に上記第２の手摺ユニットを取り付けた状態の平面図である。
【図２７】第２の形態における上記踊場装置に上記第２の手摺ユニットを取り付けた状態の平面図である。
【図２８】第１の実施形態に係る踊場装置の第１の設置例の説明図である。
【図２９】上記踊場装置の第２の設置例の説明図である。
【図３０】上記踊場装置の第３の設置例の説明図である。
【図３１】第２の実施形態に係る踊場装置の設置例の説明図である。
【発明を実施するための形態】
【００２５】
以下、本願発明を好適な実施形態に基づいて具体的に説明する。
【００２６】
Ｉ：第１の実施形態
図１〜図３には、本願発明の第１の実施形態に係る踊場装置Ｚ１を示している。この踊場装置Ｚ１は、後述の第１基台１と第２基台２を備え、且つこの第１基台１と第２基台２を上下に重ね合わせた状態で枢支軸３により枢支してこれを一体化して構成される。
【００２７】
（１）第１基台１
上記第１基台１は、図３〜図５に示すように、所定幅の板体の一端側を円弧状に形成し、他端側を直縁状に形成してなるＦＲＰ製の表面材１７と裏面材１８を、完全重ね合わせ状態で上下方向に離間配置するとともに、次述するようにこれら表面材１７と裏面材１８の間に複数の型材と複数の発泡樹脂体を介在させ、これらを一体化して構成される。
【００２８】
なお、型材は、アルミ押出成形品で構成されるもので、例えば、図５において符号１５で示す型材のような断面形状を有し、その一側には小径Ｃ環状の断面形状をもつ内側嵌合部５１が、他側には上記内側嵌合部５１を内挿可能な大径Ｃ環状の断面形状をもつ外側嵌合部５２が、それぞれ設けられている。また、上記内側嵌合部５１と外側嵌合部５２の間は、区画壁によって三つの内腔５３に画成されている。この型材の断面形状は、この実施形態において用いられる型材の全てにおいて共通とされる。
【００２９】
図４及び図５に示すように、上記表面材１７及び裏面材１８の直縁部には、該直縁部に沿って且つその外側嵌合部５２を外側へ向けた状態で第５型材１５が配置されている。
【００３０】
上記第５型材１５の長手方向の略中心位置と上記円弧状の縁部の曲率中心Ｐを結ぶ直線Ｌ１上には、該縁部と上記第５型材１５の側面に跨って第４型材１４が配置されるとともに、該第４型材１４の端部は上記縁部上に開口している。
【００３１】
上記曲率中心Ｐを通り上記直線Ｌ１と直交する直線Ｌ２上には、左右一対の第３型材１３が配置されるとともに、該第３型材１３の端部は上記表面材１７及び裏面材１８の側縁上に開口している。
【００３２】
上記第５型材１５と第４型材１４の間で、且つ上記表面材１７及び裏面材１８の左右の側縁に対応する位置には、五つの第２型材１２が配置されている。
【００３３】
上記第４型材１４と上記第３型材１３の間の左右二つのスペースには、それぞれ二本の第１型材１１が上記曲率中心Ｐから放射状に配置されている。
【００３４】
上記各型材１１，１２，１３，１４，１５の占有スペース以外の部分には、発泡樹脂体１６が充填形成されている。
【００３５】
そして、上記表面材１７と裏面材１８、上記各型材１１〜１５、及び上記発泡樹脂体１６は、接着により一体化して、上記第１基台１を構成する。この第１基台１においては、上記表面材１７及び上記裏面材１８の直縁部に対応する部位を、スロープ１２２の一端部が掛止される第１のスロープ掛止部５としている（図１参照）。
【００３６】
一方、上記第１基台１の上記曲率中心Ｐの位置には支軸孔１９が形成されている。この支軸孔１９には、後述するように、次述の第２基台２に設けられる支軸孔２３（図６参照）と重合した状態で枢支軸３が嵌挿される（図５参照）。
【００３７】
また、図１に破線図示するように、上記第３型材１３に隣接する左右一対の第１型材１１の略中央に対応する位置と、上記第４型材１４において上記曲率中心Ｐと上記第５型材１５との中間に対応する位置、及び上記第５型材１５の両端部寄り位置の五つの位置には、後述の支持脚４を支持する取付フランジ４３が取付けられている。
【００３８】
（２）第２基台２
上記第２基台２は、図６及び図７に示すように、表面材２１と該表面材２１に取付けられる型材２２を備えて構成される。
【００３９】
上記表面材２１は、所定厚さのアルミ板で構成されるものであって、上記第１基台１の上記表面材１７及び裏面材１８と同様に、所定幅の板体の一端側を円弧状に形成し、他端側を直縁状に形成した平面形態をもっている。そして、この表面材２１の上記直縁部の裏面側に、該直縁部に沿って型材２２を取付けている。なお、この場合、上記型材２２は、図７に示すように、外側嵌合部５２を外側に向けた状態で上記第２基台２に取り付けられている。
【００４０】
また、上記表面材２１における上記円弧部の曲率中心位置には支軸孔２３が形成されるとともに、上記型材２２の両端部近傍には、後述の支持脚４を支持する取付フランジ４３が取付けられている。
【００４１】
さらに、この第２基台２においては、上記表面材２１の直縁部に対応する部位を、スロープ１２１の一端部が掛止される第２のスロープ掛止部６としている（図１参照）。
【００４２】
（３）支持脚４
上記支持脚４は、図８に示すように、複数個の脚ピース４１をその軸方向に連結して構成される。即ち、上記脚ピース４１は、短柱状形態を有し、その上面側には連結ボルト４１ａが設けられる一方、その下面側には上記連結ボルト４１ａが螺合するボルト孔４１ｂが設けられている。そして、一の脚ピース４１のボルト孔４１ｂに他の脚ピース４１の連結ボルト４１ａを螺合することを所定個数の脚ピース４１について行うことで所要長さの支持脚４が得られるものである。
【００４３】
なお、上記支持脚４は、その先端の脚ピース４１の連結ボルト４１ａを、上記第１基台１または第２基台２に備えられた上記取付フランジ４３に螺着させることで該第１基台１または第２基台２に取付けられる。また、上記支持脚４は、その下端の脚ピース４１のボルト孔４１ｂに接地体４２の連結ボルト（図示省略）を螺着するようになっている。
【００４４】
（４）踊場装置Ｚ１の組み立て
上記第１基台１の上側に上記第２基台２を配置し、該第１基台１の支軸孔１９と第２基台２の支軸孔２３を同軸上に位置させた状態で、これら両孔１９，２３間に枢支軸３を嵌挿し、該第１基台１と第２基台２を上記枢支軸３回りに相対移動可能とする。
【００４５】
しかる後、上記第１基台１及び第２基台２にそれぞれ設けた上記取付フランジ４３に上記支持脚４を取付けることで、図１及び図２に示すように段差部Ｇの低位部Ｇｂ上の所定高さ位置に設置される踊場装置Ｚ１が得られる。なお、この踊場装置Ｚ１では、上記第１基台１の表面材１７及び上記第２基台２の表面材２１で形成される平面部が車椅子とか人の通路面７となる。
【００４６】
また、この踊場装置Ｚ１においては、第１基台１を低位部Ｇｂ側に固定し、この第１基台１に対して上記第２基台２が上記枢支軸３回りに相対移動（矢印Ｒ０参照）し得るようにしているが、この相対移動によって上記踊場装置Ｚ１の使用態様が変更設定される。
【００４７】
即ち、図１において実線図示するように、上記第１基台１側の第１のスロープ掛止部５と上記第２基台２側の第２のスロープ掛止部６が上記枢支軸３を通る直線上に位置し、上記通路面７の通行方向が直線状（矢印ＰＳ参照）となる「第１の使用形態」と、同図において鎖線図示するように、上記第１基台１側の第１のスロープ掛止部５に対して上記第２基台２側の第２のスロープ掛止部６が直交方向右側あるいは直交方向左側に位置し、上記通路面７の通行方向が直交方向（矢印ＰＲ，ＰＬ参照）となる「第２の使用形態」が選択的に設定される。
【００４８】
また、上記踊場装置Ｚ１では、図１及び図２に示すように、上記第１基台１の第１のスロープ掛止部５にはスロープ１２１の一端が、上記第２基台２の第２のスロープ掛止部６にはスロープ１２２の一端が、それぞれ掛止される。そして、特にこの実施形態では、上記スロープ１２１を上記踊場装置Ｚ１の第１のスロープ掛止部５と高位部Ｇａ間に架設し、上記スロープ１２２を上記踊場装置Ｚ１の第２のスロープ掛止部６と低位部Ｇｂの間に架設している。
【００４９】
この場合、上記スロープ１２１は、その端部が上記第１基台１の第５型材１５に設けた外側嵌合部５２に嵌合して連結可能な構造（即ち、内側嵌合部５１と同様の構造）を備えるときには該外側嵌合部５２に掛止されるが、該構造以外の場合（即ち、内側嵌合部５１と同様の構造を備えない場合）には直接第１のスロープ掛止部５にその端部を乗せ掛けることになる。この関係は、上記第２型材１２側においても同様である。したがって、上記第１基台１の上記第１のスロープ掛止部５には、上記第５型材１５の外側嵌合部５２、または該第５型材１５の上面側が該当することになる。また、上記第２基台２の上記第２のスロープ掛止部６には、上記型材２２の外側嵌合部５２、または該型材２２の上面側が該当することになる。
【００５０】
（５）手摺ユニット
この実施形態の踊場装置Ｚ１には、車椅子とか人の通行時における安全性を確保する観点から、次述の二種類の手摺ユニット１００が選択的に備えられる。
【００５１】
（５−１）  第１の手摺ユニット１００
第１の手摺ユニット１００は、図９に示すように、上記第１基台１及び第２基台２に備えられた型材（ここでは、上記第１基台１の第１型材１１を例示している）の内腔５３に嵌挿固定される固定具１０８と、該固定具１０８にその下端部が固定された手摺支柱１０１と、該手摺支柱１０１の上端側に取付けられた上下一対の手摺体１０４，１０５を備えるとともに、上記手摺支柱１０１に補助脚１０６を付設して構成される。
【００５２】
上記固定具１０８は、上記型材１１の内腔５３に嵌挿される嵌挿突部１０９を備えた受け部材１０８Ａと、該受け部材１０８Ａとの間に上記手摺支柱１０１の下端部を挟持下状態で該受け部材１０８Ａ側に衝合され且つ固定ビス１１０によって締着固定される押圧部材１０８Ｂを備える。
【００５３】
上記手摺支柱１０１は、楕円形の断面形状を有し且つその下端部が上記固定具１０８によって上記型材１１側に固定される固定柱１０１Ａと、該固定柱１０１Ａに伸縮可能に内挿される楕円形の断面形状を有する可動柱１０１Ｂを備え、上記可動柱１０１Ｂの上記固定柱１０１Ａからの引出量を調整することで手摺高さを調整できるようになっている。
【００５４】
上記可動柱１０１Ｂの上端には手摺体１０４を支持する手摺ブラケット１０３が備えられ、また上記手摺ブラケット１０３の取付位置より下側にはアーム１０２を介して手摺体１０５を支持する手摺ブラケット１０３が取付けられている。
【００５５】
上記補助脚１０６は、上記手摺支柱１０１の固定柱１０１Ａに連結具１１３を介して連結された管体で構成され、該連結具１１３から斜め下方へ延出してその先端の接地具１０７を床面に設置させるようになっている。
【００５６】
なお、上記手摺体１０５の設置高さの調整は、上記可動柱１０１Ｂの側面に設けた縦溝１１７に取付けられた上記アーム１０２を該縦溝１１７に沿って移動させることで行われる。また、上記補助脚１０６の上記手摺支柱１０１に対する取付高さの調整は、上記固定柱１０１Ａの側面に設けた縦溝１１８に取付けられた上記連結具１１３を該縦溝１１８に沿って移動させることで行われる。この補助脚１０６の上記手摺支柱１０１に対する取付高さの調整機能は、上記踊場装置Ｚ１が設置される段差部Ｇの条件、特に段差寸法に対応して該踊場装置Ｚ１を所要高さに設置した場合において上記手摺ユニット１００の横揺れを確実に抑制するという点において極めて重要である。
【００５７】
ここで、上記手摺ユニット１００の実際の付設例を説明する。  
図１０及び図１１は、第１の使用形態に設定された踊場装置Ｚ１に上記第１の手摺ユニット１００を付設した状態を示している。この付設例においては、上記踊場装置Ｚ１における直線状の通路面７の両側に手摺ユニット１００が設置されており、これによって車椅子あるいは人の通行時における安全性が確保される。
【００５８】
図１２は、第２の使用形態に設定された踊場装置Ｚ１に上記第１の手摺ユニット１００を付設した状態を示している。この付設例においては、上記踊場装置Ｚ１における直交状の通路面７の両側に直交状態に屈曲延出する手摺ユニット１００が設置されており、これによって車椅子あるいは人の通行時における安全性が確保される。
【００５９】
（５−２）  第２の手摺ユニット１００
第２の手摺ユニット１００は、図１３に示すように、その基本構成は上記第１の形態における第１の手摺ユニット１００と同様であって、これと異なる点は手摺支柱１１２の固定柱１１２Ａ及び可動柱１１２Ｂが共に円形管体で構成された点と、手摺として手摺体１０４が一本だけ設けられた点であり、係る特有の構成によって手摺ユニット１００の軽量化及び低コスト化が図られている。
【００６０】
図１４及び図１５には、第１の使用形態に設定された踊場装置Ｚ１に上記第２の手摺ユニット１００を付設した状態を示している。また、図１６には、第２の使用形態に設定された踊場装置Ｚ１に上記第２の手摺ユニット１００を付設した状態を示している。これら何れの付設例においても、上記踊場装置Ｚ１の通路面７の両側に上記手摺ユニット１００が配置されていることで、車椅子あるいは人の通行時における安全性が確保される。
【００６１】
（６）上記踊場装置Ｚ１の設置例
続いて、上記踊場装置Ｚ１の設置例を説明するが、ここでは説明の便宜上、上記手摺ユニット１００の図示は省略している。また、以下の設置例は、踊場装置Ｚ１の設置の形態をいくつか例示したものであって、本願発明がこれら設置例に限定されないことは勿論である。
【００６２】
（６−１）第１の設置例
第１の設置例は、図２８に示すように、段差部Ｇの段差が大きく且つ高位部Ｇａの手前側の低位部Ｇｂに十分なスロープ設置スペースが確保できるような条件下において好適な設置例であって、「第１の使用形態」に形態設定がされた踊場装置Ｚ１を、段差部Ｇの段差の半分ほどの高さに設置し、該踊場装置Ｚ１の第１基台１と低位部Ｇｂの間にスロープ８１を架設し、さらに該踊場装置Ｚ１の第２基台２と高位部Ｇａの間にスロープ８２を架設し、上記踊場装置Ｚ１を介して二段階で段差をクリアするようにしたものである。
【００６３】
（６−２）第２の設置例
第２の設置例は、図２９に示すように、段差部Ｇの段差は通常程度であるが、高位部Ｇａの手前側の低位部Ｇｂに十分なスロープ設置スペースが確保できないような条件下において好適な設置例であって、「第２の使用形態」に形態設定がされた踊場装置Ｚ１を高位部Ｇａよりも少し高い位置に設置し、該踊場装置Ｚ１の第１基台１と低位部Ｇｂの間にスロープ８３を架設し、さらに該踊場装置Ｚ１の第２基台２と高位部Ｇａの間にスロープ８４を架設する。この設置例によれば、上記低位部Ｇｂ側から略直交方向に屈曲する経路を経て高位部Ｇａに至る通行経路が得られる。
【００６４】
（６−３）第３の設置例
第３の設置例は、図３０に示すように、段差部Ｇの段差が大きく、しかも高位部Ｇａの手前側の低位部Ｇｂに十分なスロープ設置スペースが確保できないような条件下において好適な設置例であって、先ず、高位部Ｇａの直前位置に「第２の使用形態」に形態設定がされた踊場装置Ｚ１（以下、第１の踊場装置Ｚ１という）を高位部Ｇａよりも少し高い位置に設置し、該第１の踊場装置Ｚ１の第２基台２と高位部Ｇａの間にスロープ８４及び架設する。
【００６５】
また、先に設置した第１の踊場装置Ｚ１から高位部Ｇａに沿って側方へ適宜離間した位置に、共に「第２の使用形態」に形態設定がされた一対の踊場装置Ｚ１（以下、第２及び第３の踊場装置Ｚ１という）をその第２基台２同士を対向させた状態で且つ段差の略半分程度の高さに設置する。
【００６６】
そして、上記第１の踊場装置Ｚ１の第１基台１と第２の踊場装置Ｚ１の第１基台１の間にスロープ８３を架設するとともに、該第２の踊場装置Ｚ１の第２基台２と第３の踊場装置Ｚ１の第２基台２の間にスロープ８５を架設し、さらに該第３の踊場装置Ｚ１の第１基台１と低位部Ｇｂの間にスロープ８６を架設する。
【００６７】
したがって、この設置例では、通行経路を折り返しながら二段階で段差部Ｇをクリアする通行形態が得られる。
【００６８】
ＩＩ：第２の実施形態
図１７〜図１９には、本願発明の第２の実施形態に係る踊場装置Ｚ２を示している。この踊場装置Ｚ２は、後述の第１基台３１と第２基台３２を備え、且つこの第１基台３１と第２基台３２を上下に重ね合わせた状態で枢支軸３３により枢支してこれを一体化して構成される。
【００６９】
（１）第１基台３１
上記第１基台３１は、図１９〜図２１に示すように、上記一対の表面材３４と裏面材３５の間に、型材３６と発泡樹脂体３７を介在させ、これらを接着によって一体化して構成される。
【００７０】
上記表面材３４と上記裏面材３５は、共に所定厚さのＦＲＰ板で構成されるのもであって、挟角４５°の扇形の平面形態を基本とした上で、その左右の側縁の一方を所定幅だけ側方に延出させた略扇形の平面形態を有している。
【００７１】
上記型材３６は、上記第１の実施形態における各型材と同一の断面構成をもつアルミ押出成形品で構成され、その左右両側面にはそれぞれ外側嵌合部５４と内側嵌合部５５が設けられるとともに、これら各嵌合部５４，５５の間は内腔５６とされている。そして、この型材３６は、完全重ね合わせ状態で上下方向に対向する上記表面材３４と裏面材３５の各延出部分の間に、上記外側嵌合部５４を外方に露出させた状態で介在配置される。また、上記表面材３４と裏面材３５の間で、且つ上記型材３６の配置部位以外の部位には、発泡樹脂体３７が充填形成されている。
【００７２】
そして、上記表面材３４と裏面材３５の間に上記型材３６と発泡樹脂体３７を介在させた状態でこれらを接着剤により接続着固定して一体化することで上記第１基台３１が得られる。
【００７３】
そして、この第１基台３１においては、その円弧形の外周縁の曲率中心に対応する位置に支軸孔３８を設ける一方、上記型材３６に対応する部位の裏面と円弧部の端部寄り部位の三か所に支持脚４を支持する取付フランジ４３が取付けられている。
【００７４】
さらに、この第１基台３１においては、上記型材３６に対応する側縁部を第１のスロープ掛止部５とし、ここにスロープを掛止可能としている。
【００７５】
（２）第２基台３２
上記第２基台３２は、上記第１基台３１を構成する上記表面材３４及び裏面材３５とは反対勝手に形成された表面材４５と、該表面材４５の延出部に配置され且つこれと一体化された型材３９を備えて構成される。また、上記第２基台３２の円弧形の外周縁の曲率中心に対応する位置に支軸孔３９を設ける一方、上記型材３６に対応する部位の裏面と円弧部の端部寄り部位の三か所に支持脚４を支持する取付フランジ４３が取付けられている。そして、この第２基台３２においては、上記型材３９に対応する部分を第２のスロープ掛止部６としている。
【００７６】
（３）踊場装置Ｚ２の組み立て
上記踊場装置Ｚ２は、上記第１基台３１に上側に上記第２基台３２を配置し、該第１基台３１の支軸孔３８と第２基台３２の支軸孔４６を同軸上に位置させた状態で、これら両孔３８，４６間に枢支軸３を嵌挿し、該第１基台３１と第２基台３２を上記枢支軸３回りに相対移動可能とすることで得られる。そして、上記第１基台３１と上記第２基台３２によって掲載される平面部が側踊場装置Ｚ２における通路面７とされる。
【００７７】
このように構成された上記踊場装置Ｚ２は、上記第１基台３１に対して上記第２基台３２を上記枢支軸３３回りに相対移動させることで、図１７に示すように上記第１基台３１側の第１のスロープ掛止部５から上記第２基台３２側の第２のスロープ掛止部６に至る通路面７が略９０°に屈曲する「第１の使用形態」と、図１８に示すように上記第１基台３１側の第１のスロープ掛止部５から上記第２基台３２側の第２のスロープ掛止部６に至る通路面７が略４５°に屈曲する「第２の使用形態」を選択的に得ることができる。
【００７８】
（４）手摺ユニット１００
上記踊場装置Ｚ２にも、第１の実施形態における上記踊場装置Ｚ１の場合と同様に、手摺ユニット１００が付設される。なお、手摺ユニット１００としては二種類の手摺ユニット１００が用意され、且つそれらの構成は第１の実施形態における手摺ユニット１００と同じであるので、ここでの説明は省略し、上記踊場装置Ｚ２への手摺ユニット１００の付設状態のみを説明する。
【００７９】
図２４は、第１の使用形態にその形態が設定された踊場装置Ｚ２に対して第１の手摺ユニット１００を付設した状態を示している。図２５は、第２の使用形態にその形態が設定された踊場装置Ｚ２に対して第１の手摺ユニット１００を付設した状態を示している。
【００８０】
また、図２６は、第１の使用形態にその形態が設定された踊場装置Ｚ２に対して第２の手摺ユニット１００を付設した状態を示している。図２７は、第２の使用形態にその形態が設定された踊場装置Ｚ２に対して第２の手摺ユニット１００を付設した状態を示している。
【００８１】
これら何れの形態においても、上記踊場装置Ｚ２の通路面７の側縁に手摺ユニット１００が配置されることから、該踊場装置Ｚ２及び通行する車椅子徒過人に安全性が確保される。
【産業上の利用可能性】
【００８２】
本願発明の踊場装置は、例えば、介護福祉分野において、携帯用スロープによって段差部を解消し、車椅子とか人の通行を支援する場合に利用されるものである。
【符号の説明】
【００８３】
１    ・・第１基台
２    ・・第２基台
３    ・・枢支軸
４    ・・支持脚
５    ・・第１のスロープ掛止部
６    ・・第２のスロープ掛止部
７    ・・通路面
３１    ・・第１基台
３２    ・・第２基台
３３    ・・枢支軸
１００  ・・手摺ユニット
Ｚ１〜Ｚ２    ・・踊場装置
【図１】
0006418845.tif 000002
【図２】
0006418845.tif 000003
【図３】
0006418845.tif 000004
【図４】
0006418845.tif 000005
【図５】
0006418845.tif 000006
【図６】
0006418845.tif 000007
【図７】
0006418845.tif 000008
【図８】
0006418845.tif 000009
【図９】
0006418845.tif 000010
【図１０】
0006418845.tif 000011
【図１１】
0006418845.tif 000012
【図１２】
0006418845.tif 000013
【図１３】
0006418845.tif 000014
【図１４】
0006418845.tif 000015
【図１５】
0006418845.tif 000016
【図１６】
0006418845.tif 000017
【図１７】
0006418845.tif 000018
【図１８】
0006418845.tif 000019
【図１９】
0006418845.tif 000020
【図２０】
0006418845.tif 000021
【図２１】
0006418845.tif 000022
【図２２】
0006418845.tif 000023
【図２３】
0006418845.tif 000024
【図２４】
0006418845.tif 000025
【図２５】
0006418845.tif 000026
【図２６】
0006418845.tif 000027
【図２７】
0006418845.tif 000028
【図２８】
0006418845.tif 000029
【図２９】
0006418845.tif 000030
【図３０】
0006418845.tif 000031
【図３１】
0006418845.tif 000032